(57)【特許請求の範囲】
【請求項１】
建物の中心に共有コア部を有し、各階には該共有コア部を囲む共用廊下と該共用廊下の外周にいくつかの住宅を配した塔状建物の隣接する下・上層の基準階の平面形状において、下層の４隅の空間は、その下層を出入口とした下・上層とのメゾネット形式の２階建住宅とし、その上層の４隅の空間間隙の中住宅空間は、共用廊下に隣接する空間を連絡部とした方位の異なる中住宅空間とを相互に一体化させて一戸の住宅空間とすることにより、複数面及び複数方向からの採光、眺望を得ることのできることを特徴とする建物における多方位住宅。
【請求項２】
建物の中心に共有コア部を有し、各階には該共有コア部を囲む共用廊下と該共用廊下の外周にいくつかの住宅を配した塔状建物の隣接する下・上層の基準階の平面形状において、下層の４隅の空間及び上層の４隅の空間は、各々下層及び上層に出入口を設けて各々一戸の住宅が形成され、下層の４隅の空間間隙の中住宅空間は下層とは方位の異なる上層の４隅の空間間隙の中住宅空間とを共用廊下に隣接する空間を連絡部とし、下層又は／及び上層を出入口とした相互に一体化させて一戸の住宅空間とすることにより、複数面及び複数方向からの採光、眺望を得ることのできることを特徴とする建物における多方位住宅。
【請求項３】
建物の中心に共有コア部を有し、各階には該共有コア部を囲む共用廊下と該共用廊下の外周にいくつかの住宅を配した塔状建物の隣接する下・上層の基準階の平面形状において、下層の４隅の空間は、その下層を出入口とした下・上層とのメゾネット形式の２階建住宅とし、その下層の４隅の空間間隙の中住宅空間及び上層の４隅の空間間隙の中住宅空間は、共用廊下に隣接する空間を連絡部とし、下層又は／及び上層を出入口とした方位の異なる中住宅空間相互を一体化させて一戸の住宅空間とすることにより、複数面及び複数方向からの採光、眺望を得ることのできることを特徴とする建物における多方位住宅。
【請求項４】
請求項１乃至４記載の下層を上層とし、上層を下層としたことを特徴とする請求項１乃至請求項３の何れか１に記載の建物における多方位住宅。
【発明の詳細な説明】
【０００１】
【発明が属する技術分野】
本願発明は、建物、特に搭状高層建物、超高層建物における集合住宅の各住宅が、少なくとも２方位以上の面を向くように形成した多方位住宅に関するものである。
【０００２】
【従来の技術】
従来の建物、特に矩形形状の搭状高層建物における集合住宅の基準階の平面形状は、その４隅に位置する住宅が２方位面を向くように形成され、２面および２方向からの採光と眺望を享受することができたが、当該隅住宅に挟まれた「中住宅」は、１面からのみの採光と眺望とに制限されていた。
【０００３】
【発明が解決しようとする課題】
本願発明は、矩形形状の搭状高層建物、超高層建物における集合住宅の基準階の平面形状において、４隅以外の「中住宅」においても少なくとも２面からの採光、２方向への眺望を実現するものである。
【０００４】
【課題を解決するための手段】
本願発明は、上記課題を解決するために、建物の中心に共有コア部を有し、各階には該共有コア部を囲む共用廊下と該共用廊下の外周にいくつかの住宅を配した塔状建物の隣接する下・上層の基準階の平面形状において、下層の４隅の空間は、その下層を出入口とした下・上層とのメゾネット形式の２階建住宅とし、その上層の４隅の空間間隙の中住宅空間は、共用廊下に隣接する空間を連絡部とした方位の異なる中住宅空間とを相互に一体化させて一戸の住宅空間とすることにより、複数面及び複数方向からの採光、眺望を得ることのできる建物における多方位住宅を特徴とするものである。
【０００５】
また、建物の中心に共有コア部を有し、各階には該共有コア部を囲む共用廊下と該共用廊下の外周にいくつかの住宅を配した塔状建物の隣接する下・上層の基準階の平面形状において、下層の４隅の空間及び上層の４隅の空間は、各々下層及び上層に出入口を設けて各々一戸の住宅が形成され、下層の４隅の空間間隙の中住宅空間は下層とは方位の異なる上層の４隅の空間間隙の中住宅空間とを共用廊下に隣接する空間を連絡部とし、下層又は／及び上層を出入口とした相互に一体化させて一戸の住宅空間とすることにより、複数面及び複数方向からの採光、眺望を得ることのできる建物における多方位住宅を特徴とするものである。
【０００６】
更に、建物の中心に共有コア部を有し、各階には該共有コア部を囲む共用廊下と該共用廊下の外周にいくつかの住宅を配した塔状建物の隣接する下・上層の基準階の平面形状において、下層の４隅の空間は、その下層を出入口とした下・上層とのメゾネット形式の２階建住宅とし、その下層の４隅の空間間隙の中住宅空間及び上層の４隅の空間間隙の中住宅空間は、共用廊下に隣接する空間を連絡部とし、下層又は／及び上層を出入口とした方位の異なる中住宅空間相互を一体化させて一戸の住宅空間とすることにより、複数面及び複数方向からの採光、眺望を得ることのできる建物における多方位住宅を特徴とするものである。
【０００７】
また、上記多方位住宅において、下層の空間形状と上層の空間形状とを逆にした建物における多方位住宅を特徴とするものである。
【０００８】
【発明の実施の形態】
【実施例１】
矩形形状の搭状高層建物における集合住宅の基準階の平面形状において、その上下に位置する２層を使用することにより、少なくとも２面および２方向からの採光と眺望を得るようにしたものである。
【０００９】
図１は、実施例１の概略を示した平面図で、下層の４隅の空間Ａ１、Ａ２、Ａ３、Ａ４と、その上層の４隅の空間Ｂ１、Ｂ２、Ｂ３、Ｂ４とを連絡し、その下層を出入口とした下層・上層とのメゾネット形式等の２階建住宅とする。したがって、空間Ａ１とＢ１、空間Ａ２とＢ２，空間Ａ３とＢ３、空間Ａ４とＢ４とは各々１個の住宅空間が完成する。
【００１０】
また、上層の４隅の空間Ｂ１、Ｂ２、Ｂ３、Ｂ４は、共同コア１側となる内面側の空間を欠いた形状とする。上記上層の４隅空間間隙の「中住宅空間」はその略中間部で仕切られ、空間Ｃ１、Ｃ２、Ｃ３、Ｃ４、Ｃ５、Ｃ６、Ｃ７、Ｃ８が形成される。
【００１１】
上記空間Ｂ１〜Ｂ４の切欠部が中住宅空間相互の通路等の連絡部２となり、方位の異なる空間Ｃ１とＣ８、空間Ｃ２とＣ３、空間Ｃ４とＣ５、空間Ｃ６とＣ７とを相互に一体化させる。これにより２面および２方向からの採光、眺望を得ることのできる１個の住宅が形成されることになる。
【００１２】
他方、下層の４隅空間間隙の「中住宅空間」の空間Ｄ１、Ｄ２、Ｄ３、Ｄ４は、従来と同様の１面からの採光と眺望を得る標準階高の住宅を得ることができる。
その際、４隅の住宅は、上・下層に亘って使用できるので、その１層における床面積を小面積とすることができるので、その間の「中住宅空間」の空間Ｄ１、Ｄ２、Ｄ３、Ｄ４の面積を大きく取ることも可能である。
【００１３】
また、上記空間Ｃ１とＣ８に他の空間Ｃ６とＣ７とを連結することにより、３面および３方向からの採光と眺望とが得られる大空間の１個の住宅を得ることができる。
更に、空間Ｃ２とＣ３に他の空間Ｃ４とＣ５とを連結することにより、上記同様に３面および３方向からの採光と眺望とが得られる大空間の１個の住宅を得ることができる。それらＣ１〜Ｃ８の組合せは隣接および連絡部２を介して自由に組み合わせることが可能であり、３面以上、３方以上の採光と眺望を実現することも可能である。
【００１４】
上記下層の４隅の空間Ａ１、Ａ２、Ａ３、Ａ４は、その一部或いは全部を吹き抜け等の天井高空間とした１個の住宅とすることも可能である。
上記のように、「中住宅空間」を連絡部２を介して連結することにより、パブリック空間とプライベ−ト空間とを分離する平面形状が容易にできることになる。
また、住宅部分とワ−クスペ−スや教室等のアネックス空間とを分離する平面形状が容易にできることになる。更に、２世帯住宅の形状も容易にできることになる。
【００１５】
上記実施例では、空間Ａタイプの住宅の出入口と空間Ｄタイプの住宅の出入口を下層とし、空間Ｃタイプの住宅の出入口を上層とした態様の平面形状をしているが、空間Ｃタイプの住宅を下層に設けることにより、その出入口を下層と上層とで逆にすることも可能である。
【００１６】
【実施例２】
上記同様、矩形形状の搭状高層建物における集合住宅の基準階の平面形状において、その上下に位置する２層を使用することにより少なくとも２面および２方向からの採光と眺望を得るようにしたものである。
図２は、実施例２の概略を示した平面図で、下層の４隅の空間Ａ１、Ａ２、Ａ３、Ａ４および上層の４隅の空間Ｂ１、Ｂ２、Ｂ３、Ｂ４は各々下層、上層に出入口を設けた２面および２方向からの採光、眺望を得ることのできる従来と同様の各々別個の１個の住宅が形成されている。
【００１７】
他方、下層の４隅の空間間隙の「中住宅空間」の空間Ｃ１、Ｃ２、Ｃ３、Ｃ４と上層の４隅空間間隙の「中住宅空間」の空間Ｄ１、Ｄ２、Ｄ３、Ｄ４は、空間Ｃ１とＤ４、空間Ｃ２とＤ１、空間Ｃ３とＤ２、空間Ｃ４とＤ３とで、その下層又は／及び上層を出入口とした下層・上層とを階段等の連絡部４で連絡するメゾネット形式等の２階建住宅とする。
【００１８】
この場合、下層と上層とを連結する階段等の連絡部４は、共用コア１側の共用廊下３に沿った位置で形成するので、上下で方位の異なる１個の住宅となる。したがって、２面および２方向からの採光と眺望を得ることのできる住宅となる。
【００１９】
図３は、上記実施例２の立体図を示したもので、下層の「中住宅空間」の空間Ｃ２と上層の「中住宅空間」の空間Ｄ１とを、連絡部４となる階段で連絡したメゾネット形式の２層を利用した１個の住宅を示している。階段により下層と上層とが連絡され、下層と上層に各々別個に出入口が形成されている。また、下層と上層とは異なる方向に外部と面する開口部が形成されるので２面および２方向からの採光と眺望を得る住宅となる。
【００２０】
上記のように、上下の「中住宅空間」を階段等の連絡部４で連絡することにより、上記実施例１と同様にパブリック空間とプライベ−ト空間とを分離する平面形状が容易にできることになる。また、住宅部分とワ−クスペ−スや教室等のアネックス空間とを分離する平面形状が容易にできることになる。更に、２世帯住宅の平面形状も容易にできることになる。
【００２１】
上記実施例２の下層のＣタイプの空間と上層のＤタイプの空間との空間形状を上下逆にすることも可能である。この実施例２のものにあっては、全ての住宅を２面採光、２方向眺望として実現することが可能である。
【００２２】
【実施例３】
上記同様、矩形形状の搭状高層建物における集合住宅の基準階の平面形状において、その上下に位置する２層を使用することにより、少なくとも２面および２方向からの採光と眺望を得るようにしたものである。
図４は、実施例３の概略を示した平面図で、下層の４隅の空間Ａ１、Ａ２、Ａ３、Ａ４および上層の４隅の空間Ｂ１、Ｂ２、Ｂ３、Ｂ４は下層に出入口を設けた２面および２方向からの採光、眺望を得ることのできる上下２層に亘るメゾネット形式等の１個の住宅が形成されている。
【００２３】
他方、下層の４隅の空間間隙の「中住宅空間」はその略中間部で仕切られ、空間Ｃ１、Ｃ２、Ｃ３、Ｃ４、Ｃ５、Ｃ６、Ｃ７、Ｃ８を形成している。また、上層の４隅の空間間隙の「中住宅空間」も上記同様に略中間部で仕切られ、空間Ｄ１、Ｄ２、Ｄ３、Ｄ４、Ｄ５、Ｄ６、Ｄ７、Ｄ８が形成される。
【００２４】
上記上下層の空間Ｃ１とＤ８、空間Ｃ２とＤ３、空間Ｃ３とＤ２、空間Ｃ４とＤ５、空間Ｃ５とＤ４、空間Ｃ６とＤ７、空間Ｃ７とＤ６、空間Ｃ８とＤ１とを、その下層又は／及び上層を出入口とした下層・上層を階段等の連絡部４で連絡するメゾネット形式等の１個の２階建住宅とする。この場合、下層と上層とを連結する階段等の連絡部４は、共用コア１側の共用廊下３に沿った位置で形成するので、上下で方位の異なる１個の住宅となる。したがって、２面および２方向からの採光と眺望を得ることのできる住宅となる。
【００２５】
上記のように、上下の「中住宅空間」を階段等の連絡部４で連結することにより、上記実施例１、２と同様にパブリック空間とプライベ−ト空間とを分離する平面形状が容易にできることになる。また、住宅部分とワ−クスペ−スや教室等のアネックス空間とを分離する平面形状が容易にできることになる。更に、２世帯住宅の平面形状も容易にできることになる。
【００２６】
上記実施例３の下層のＣタイプの空間と上層のＤタイプの空間との上下を逆にすることも可能である。
この実施例３のものにあっては、全ての住宅が２面採光、２方向眺望として実現することが可能である。
上記実施例３にあっては、比較的小規模の床面積においても２面採光、２方向眺望を得ることができる。
【００２７】
上記各実施例１〜３では、矩形形状の搭状高層建物における集合住宅をその対象として説明したが、矩形形状に限定することなく、様々な平面形状のものにも適用することができる。更に、３層、４層の複数層に渡る実施例１〜３の様な組合せは無限に適用することができる。また、高層建物としたが、低層、中層の建物にも適用できることは言うまでもない。更に、集合住宅に限定することなく、眺望や景観が求められるリゾ−トマンションやリゾ−トホテル等の施設にも採用することが可能である。
【００２８】
【発明の効果】
本願発明は、特に、矩形形状等の搭状高層建物における集合住宅の基準階の平面形状において、隅に位置する住宅以外にも多方面、多方向の採光、眺望を得ることが可能となり、住宅の居住性、中・高層建物における眺望を最大限に取り入れることのできる住宅を得ることが可能となった。
【００２９】
また、従来の１面採光の住宅に比べ、２面以上の採光面を有する住宅は、通風、自然換気に優れ、省エネ住宅が得られ、地球環境に好ましい結果をもたらすものである。
更に、各住宅への出入口を異なる位置に設けたり、上下に分けて設けたりすることができること、同一住宅内において、２つ以上の独立性の高い空間とすることができたり、動線を明確に分離できるなど、その空間を様々な利用形態とすることが可能となった。例えば、ワ−クスペ−スを持った住宅、２世帯住宅、シルバ−コミュニティ−対応の住宅等として利用することが合理的に行うことが可能となった。
【００３０】
【図面の簡単な説明】
【図１】本願発明の建物における多方位住宅の基準階を示す平面図である。
【図２】本願発明の建物における多方位住宅の基準階を示す他の実施例の平面図である。
【図３】本願発明の建物における多方位住宅の上下２層を示す他の実施例の立体斜視図である。
【図４】本願発明の建物における多方位住宅の基準階を示す他の実施例の平面図である。
【符号の説明】
１    共用コア
２    連絡部
３    共用廊下
４    連絡部
【図１】
0004217996.tif 000002
【図２】
0004217996.tif 000003
【図３】
0004217996.tif 000004
【図４】
0004217996.tif 000005